(57)【要約】      （修正有）【課題】発熱時に頭部冷却する氷枕、冷却具及び温度モニタに関し、夜間の就寝時に負担感なく適切な時期に氷枕などの交換ができるよう支援する氷枕とそれを用いた簡便な温度モニタを提供する。【解決手段】内部に氷及び／または水を収納し、頭部を冷却する氷枕１２０であって、氷枕の外表面に温度測定部を有するＩＣタグ１００を備えたことを特徴とする。また、外表面に温度測定部を有するＩＣタグを備え、内部に氷及び／または水を収納し、頭部を冷却する氷枕と該氷枕を覆うカバーからなることを特徴とする。また、内部に予め密封して設けられた冷却部材を収納し、頭部を冷却する氷枕であって、氷枕の外表面に温度測定部を有するＩＣタグを備えたことを特徴とする。【選択図】図１
2007135864.tif 000002
【特許請求の範囲】
【請求項１】
内部に氷及び／または水を収納し、頭部を冷却する氷枕であって、
該氷枕の外表面に温度測定部を有するＩＣタグを備えたことを特徴とする氷枕。
【請求項２】
外表面に温度測定部を有するＩＣタグを備え、内部に氷及び／または水を収納し、頭部を冷却する氷枕と該氷枕を覆うカバーからなることを特徴とする頭部冷却具。
【請求項３】
内部に予め密封して設けられた冷却部材を収納し、頭部を冷却する氷枕であって、
該氷枕の外表面に温度測定部を有するＩＣタグを備えたことを特徴とする氷枕。
【請求項４】
外表面に温度測定部を有するＩＣタグを備え、内部に予め密封して設けられた冷却部材を収納し頭部を冷却する氷枕と該氷枕を覆うカバーからなることを特徴とする頭部冷却具。
【請求項５】
請求項１〜４のいずれかに記載の氷枕または頭部冷却具の温度モニタに使用する端末装置であって、所定間隔で前記温度データを取得し、所定の閾値と比較し、該閾値を越えた場合に、アラームを発生させることを特徴とする氷枕、冷却具の温度モニタのための端末装置。
【請求項６】
前記端末装置が携帯端末であることを特徴とする請求項５記載の端末装置。
【請求項７】
氷枕または頭部冷却具の温度モニタに使用する端末装置の制御方法のプログラムが記憶されたコンピュータで読取り可能な記憶媒体であって、
氷枕または頭部冷却具に設けられた温度測定部を有するＩＣタグから所定間隔で温度データを読取る工程のプログラムと、所定の閾値と比較し、該閾値を越えた場合に、アラームを発生させる工程のプログラムとからなることを特徴とするコンピュータで読取り可能な記憶媒体。
【発明の詳細な説明】
【技術分野】
【０００１】
本発明は、発熱時に頭部を冷却する氷枕、冷却具とそれを用いた温度モニタに関する。
【背景技術】
【０００２】
インフルエンザなどで急熱を発した場合、腋下体温計または鼓膜体温計で３０〜６０分毎に体温を測定し、３８℃を超えると解熱剤や座薬などを処方し、解熱する一方、頭部を氷枕などで冷やすようにしている。しかしながら、夜間において、氷枕の温度が上昇してもなかなか気づかず、また、それを気にかけると、看病する者が十分な睡眠が取れず、大きな負担になるという問題がある。
【０００３】
このような問題を解決するため、氷の交換等の手間がかからず、氷嚢や氷枕を用いない患部冷却装置が提案されている（特許文献１）。この装置では、冷却装置と、この冷却装置によって冷却された冷媒が循環する循環路の一部を構成する冷媒通路を内蔵し、この冷媒通路を通る冷媒により熱交換されて冷却される患部冷却体とから構成されている。しかしながら、装置が複雑、大がかりで高価な装置であり、一般家庭での使用は極めて難しい。
【特許文献１】特開平８−２９９３７９号公報
【発明の開示】
【発明が解決しようとする課題】
【０００４】
本発明の目的は、看護者（介護者）にとって、特に夜間の就寝時に負担感なく適切な時期に氷枕などの交換ができるよう支援する氷枕とそれを用いた簡便な温度モニタを提供することにある。
【課題を解決するための手段】
【０００５】
上記課題を解決するために、本発明の氷枕（頭冷却具）は、内部に氷及び／または水を収納し、頭部を冷却する氷枕であって、氷枕の外表面に温度測定部を有するＩＣタグを備えたことを特徴とする。また、外表面に温度測定部を有するＩＣタグを備え、内部に氷及び／または水を収納し、頭部を冷却する氷枕と氷枕を覆うカバーからなることを特徴とする。また、内部に予め密封して設けられた冷却部材を収納し、頭部を冷却する氷枕であって、氷枕の外表面に温度測定部を有するＩＣタグを備えたことを特徴とする。外表面に温度測定部を有するＩＣタグを備え、内部に予め密封して設けられた冷却部材を収納し頭部を冷却する氷枕と氷枕を覆うカバーからなることを特徴とする。また、前記の頭部冷却具の温度モニタに使用する端末装置であって、所定間隔で前記温度データを取得し、所定の閾値と比較し、閾値を越えた場合に、アラームを発生させることを特徴とする。また、端末装置が携帯端末であることを特徴とする。また、本発明の氷枕または頭部冷却具の温度モニタに使用する端末装置の制御方法のプログラムが記憶されたコンピュータで読取り可能な記憶媒体は、氷枕または頭部冷却具に設けられた温度測定部を有するＩＣタグから所定間隔で温度データを読取る工程のプログラムと、所定の閾値と比較し、該閾値を越えた場合に、アラームを発生させる工程のプログラムとからなることを特徴とする。
【発明の効果】
【０００６】
本発明の氷枕、冷却具とそれを用いた温度モニタによれば、看護者（介護者）にとって、特に夜間の就寝時に負担感なく適切な時期に氷枕などの交換ができるよう支援することができる氷枕とそれを用いた簡便な温度モニタを提供することができる。
【発明を実施するための最良の形態】
【０００７】
図１は、本発明の一実施例を示すプロック図と装着状態を示す図である。図２は、ＩＣタグ（ＲＦＩＤ）を備えた氷枕を示す図である。図３は、温度測定部を有するＩＣタグ（ＲＦＩＤ）のブロック図、図４は、温度取得情報処理フローを示すフローチャート、図５は、表示部に表示される温度のトレンドグラフである。なお、本発明は、実施例に限定されるものではない。
【０００８】
図１において、乳幼児（発熱患者等）Ｐは、オムツ２００をはいて、解熱を行なうために頭部の下に氷枕１２０を起き、仰臥している。氷枕１２０は、図２に示すように、ラテックス，合成ゴム，弾性を有する合成樹脂などからなる０〜４０℃の範囲で柔軟性を有する本体１２１、把持部１２２、クランプ１２３、本体１２１の外表面に設けられたＩＣタグ（ＲＦＩＤ）１００からなり、その内部に氷，水を入れて使用（図２（ａ））したり、この氷枕１２０をカバー１２５で覆い、面ファスナー１２４等で係止する（図２（ｂ））タイプのもの、あるいは、凍結型冷媒（凍結型冷却部材：不図示）が予め充填され、ＩＣタグ１００を備えた氷枕１２０（図２（ｃ））や、この氷枕１２０をカバー１２５で覆い、面ファスナー１２４等で係止する（図２（ｄ））タイプのものを使用する。
【０００９】
凍結型冷媒は、常温で液体又は液状で、且つ−１５℃〜０℃の範囲に融点を有する溶液又は液状体である。冷凍庫で凍結状態になった凍結型冷媒の解凍時の融解潜熱を氷枕の保冷，蓄冷機能に利用する。保冷，蓄冷には水及び氷の顕熱も利用されるが、氷の融解潜熱（約８０ｃａｌ／ｇ）を利用するかしないかの差は極めて大きい。具体的な凍結型冷媒としては、水に例えば植物系多糖類，カルボキシメチルセルロースナトリウム，合成ケイ酸ナトリウム・マグネシウム，ポリアクリル酸ナトリウム等の増粘剤や、吸水性樹脂等が適宜加えられたゾル状又はゲル状の透明の液状体である。本実施形態の凍結型冷媒は透明の液状体とする。過冷却解除剤は凍結型冷媒の過冷却現象を改善するために凍結型冷媒に微量配合される。
【００１０】
過冷却解除剤としては例えばヨウ化銀等の氷核形成物質の微粉末がある。本体１２１を冷凍庫で冷やす際、これらの微粉末が氷核となって、凍結型冷媒の過冷却温度を抑制する。また、好ましくは、少量の気体を代え、さらに、０．５ｍｍΦ〜５ｍｍΦ程度の発泡スチロール粒子を充填することでよりクッション性，フィット性を高める。そして、気体，発泡スチロール粒子が一定の熱遮断効果を発揮し、頭部が氷枕に接する箇所の温度を和らげる。
【００１１】
凍結型冷媒を収納する本体１２１が柔軟性素材が柔軟性を有するためには、冷媒の凍結温度においても柔軟性素材が塑性変形または弾性変形することが必要である。まず、柔軟性素材が塑性変形するためには、柔軟性素材がミクロブラウン運動できる条件になければならず、従って柔軟性素材の環境温度がその材料のガラス転位点以上に設定される必要がある。患部冷却用素材は冷蔵庫の冷凍室で凍結され、しかも冷凍室の温度は０℃〜−１０℃であるから、冷媒の凍結温度はこの冷凍室の温度よりも高く設定されることになる。
【００１２】
従って、本発明の柔軟性素材のガラス転位点が−１０℃よりも低く設定されれば、冷媒 の凍結温度では柔軟性素材は塑性変形することが可能である。つまり、ガラス転位点が−１０℃よりも低い柔軟性素材から柔軟性容器４を形成することによって、柔軟性素材の塑性的柔軟性が保証される。ガラス転位点が−１０℃よりも低いプラスチックには、例えばポリエチレン、アセチル樹脂、塩化ビニリデン、ポリプロピレンなどがある。また、ガラス転位点が−１０℃よりも低いゴムには、ポリイソプレン、ｃｉｓ−-ポリイソブタジエン、ポリフェニレンエーテル、ポリイソプレン、天然ゴム、クロロプレン、trans-ポリブタジエンなどがある。また、上記以外に、各種の単量体を交互共重合、ブロック共重合、グラフト共重合させることによってガラス転位点をー１０℃以下に設定された規則的共重合体も含まれる。
【００１３】
＜ＩＣタグの構成＞
図３は、ＩＣタグ（ＲＦＩＤ）１００の構成を示すものである。オムツ２００に装着されたＩＣタグ１００ａ，氷枕１２０に設けられたＩＣタグ１００は同様の構成である。なお、氷枕１２０のカバー（不図示）に図３と同様のＩＣタグを設けて氷枕１２０の温度管理をしてもよい。ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００ａの体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００，１００ａの各部に電源を供給する。１０７はＡ／Ｄ変換部であり、温度センサ１０６と発振回路（不図示）で発生した体温信号をＡ／Ｄ変換するものである。ＩＣタグ１００，１００ａは、アンテナ１０３ａを含めて５ｍｍ×５ｍｍ、厚さ１．５ｍｍ程度の大きさである。なお、ＩＣタグ１００，１００ａは、生体を通過可能な周波数の電磁波での通信（送受信）可能なものであれば、どのような周波数でもよいが、好ましくは１３．５６ＭＨｚの電磁波で送信可能になっている。体温情報もＥＥＰＲＯＭ１０２に記憶できるので、別のマットに被検者Ｐを移し換えても継続して体温情報を記憶できる。また、間違った被検者Ｐの情報を取得しないようにしたり、アンテナ１０３ａから出力される信号を暗号化処理可能にしてセキュリティ機能を持たせることができる。
【００１４】
＜氷枕の温度取得の処理フロー＞
図４において、患者Ｐが横臥，仰臥等の状態で、その頭下に氷枕１２０を置いていることを条件に測定を開始する（入力部１４での開始指示入力により、開始する。ステップＳ１）。温度情報は、１０〜２０分毎に、氷枕１２０の外表面に装着されたＩＣタグ１００に対して、端末装置（携帯装置）５０のＩＣタグ読取り部１３から１３．５６ＭＨｚの電磁波を送信（送受信距離は、１０ｃｍ〜１ｍ程度）し、その信号と同期して得られる温度センサ１０６の体温情報を読取る（ステップＳ２）。これらの処理フローのブログラムは、コンピュータで読取り可能な記憶媒体の形で、ＲＯＭ１６，ＲＡＭ１７に記憶されており、ＣＰＵ（処理部）１０で読み出して実行される。氷枕の温度情報は、記憶部１５に記憶され、閾値と比較される（ステップＳ３）。例えば、閾値は、３６℃としている。閾値が超えている場合、アラームを発生する（ステップＳ４）。アラームは、報知部１９で、ブザー，バイブレーション，発光などで行なうが、夜間などでは報知選択モードを設けてバイブレーションを選択して行なうため、報知方法を入力部１４で選択設定できるようにできるようにすると好都合である。閾値を越えていない場合、ステップＳ１に戻り、測定終了の指示入力があるまで温度情報の測定を繰り返す。アラーム発生後、氷枕１２０を取り替えた場合、リセットを行う（ステップＳ５）と、ステップＳ１に戻り、温度測定のフローを実行する。記憶された温度トレンドは、図５に示すように、表示部１１に表示される。表示部１１では、「氷枕交換」というようなメモ情報も併せて表示可能にしている。
【００１５】
図１に示すような、胴開口部２０１、脚開口部２０２、伸縮部材２０３を備えたオムツ２００にＩＣタグ１００ａを設け（着脱自在としてもよい）、患者Ｐの体温情報も、氷枕１２０の温度情報と併せて、記憶・表示するようにしてもよい。
【図面の簡単な説明】
【００１６】
【図１】本発明の一実施例を示す図及びブロック図である。
【図２】本発明の実施例に係る温度測定部を有するＩＣタグを備えた氷枕を示す図である。
【図３】本発明の実施例に係る温度測定部を有するＩＣタグのブロック図である。
【図４】本発明の実施例に係る氷枕の温度取得処理フローを示す図である。
【図５】本発明の実施例に係る表示例を示す図である。
【符号の説明】
【００１７】
１１・・・表示部、１４・・・入力部、１２・・・外部通信部、１５・・・記憶部、１９・・・報知部、５０・・・携帯端末、１００，１００ａ・・・ＩＣタグ、１０１・・・ＲＡＭ、１０２・・・ＥＥＰＲＯＭ、１０３・・・送信受信回路、１０３ａ・・・アンテナ、１０６・・・温度センサ、１２０・・・氷枕
【図１】
2007135864.tif 000003
【図２】
2007135864.tif 000004
【図３】
2007135864.tif 000005
【図４】
2007135864.tif 000006
【図５】
2007135864.tif 000007
【手続補正書】
【提出日】平成18年4月7日(2006.4.7)
【手続補正１】
【補正対象書類名】明細書
【補正対象項目名】００１４
【補正方法】変更
【補正の内容】
【００１４】
＜氷枕の温度取得の処理フロー＞
図４において、患者Ｐが横臥，仰臥等の状態で、その頭下に氷枕１２０を置いていることを条件に測定を開始する（入力部１４での開始指示入力により、開始する。ステップＳ１）。温度情報は、１０〜２０分毎に、氷枕１２０の外表面に装着されたＩＣタグ１００に対して、端末装置（携帯装置）５０のＩＣタグ読取り部１３から１３．５６ＭＨｚまたは８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る（ステップＳ２）。これらの処理フローのブログラムは、コンピュータで読取り可能な記憶媒体の形で、ＲＯＭ１６，ＲＡＭ１７に記憶されており、ＣＰＵ（処理部）１０で読み出して実行される。氷枕の温度情報は、記憶部１５に記憶され、閾値と比較される（ステップＳ３）。例えば、閾値は、３６℃としている。閾値が超えている場合、アラームを発生する（ステップＳ４）。アラームは、報知部１９で、ブザー，バイブレーション，発光などで行なうが、夜間などでは報知選択モードを設けてバイブレーションを選択して行なうため、報知方法を入力部１４で選択設定できるようにできるようにすると好都合である。閾値を越えていない場合、ステップＳ１に戻り、測定終了の指示入力があるまで温度情報の測定を繰り返す。アラーム発生後、氷枕１２０を取り替えた場合、リセットを行う（ステップＳ５）と、ステップＳ１に戻り、温度測定のフローを実行する。記憶された温度トレンドは、図５に示すように、表示部１１に表示される。